(57)【要約】【課題】通信回線を切断したときのメッセージをユーザに提供する。【解決手段】検出回路３０において電話番号が検出されると、その電話番号と記憶部２０の電話番号とが比較回路３２において比較される。不一致ならば、出力回路３４から切断情報が出力されて強制切断リレー２４が開成されると共に、切断情報がモデムチップのコントローラ４４からＰＣインターフェイス４２を経てパーソナルコンピュータ５０へ転送され、上記切断に係るメッセージがパーソナルコンピュータ５０の表示部の表示画面上に表示される。【選択図】      図１
2004364198.tif 000002
【特許請求の範囲】
【請求項１】
情報端末装置を通信回線を介してインターネットのアクセスポイントへダイアルアップ接続するに際して発信された電話番号と契約済みのアクセスポイントの電話番号とを比較して両者が不一致であるとき前記通信回線を切断する通信回線接続装置に、
前記通信回線の切断に基づいて切断情報を生成する生成手段と、
該生成手段で生成された切断情報を前記情報端末装置へ通知する転送手段とを備えたことを特徴とする切断情報通知装置。
【請求項２】
前記切断情報は、２進情報で表されることを特徴とする請求項１記載の切断情報通知装置。
【請求項３】
前記通信回線接続装置は、接続先固定機能付モデムであり、前記生成手段は、前記接続先固定機能付モデムに外付けで設けられたことを特徴とする請求項１又は２記載の切断情報通知機能付モデム。
【請求項４】
前記通信回線はアナログ回線であり、前記生成手段は、前記アナログ回線間に接続され、前記アナログ回線上の選択信号を検出して電話番号を生成する検出回路と、契約済みのアクセスポイントの電話番号を登録する記憶部と、前記検出回路で生成された電話番号と前記記憶部の電話番号とを比較する比較手段と、該比較手段での比較結果に基づいて切断情報を出力する出力回路とからなることを特徴とする請求項１、２又は３記載の切断情報通知装置。
【請求項５】
前記通信回線接続装置は、接続先固定機能付モデムであり、前記転送手段は、前記接続先固定機能付モデムのコントローラ及びＰＣインターフェイスであることを特徴とする請求項１、２、３又は４記載の切断情報通知装置。
【請求項６】
通信回線接続装置において通信回線が切断されたときの切断メッセージを情報端末装置に表示する切断メッセージ表示システムであって、
前記通信回線が切断されたとき切断情報を生成する生成手段と、
該生成手段で生成された前記切断情報を前記情報端末装置へ通知する転送手段と、
該転送手段によって通知された切断情報に基づいて前記情報端末装置の表示部に切断メッセージを表示させる表示制御手段とを備えたことを特徴とする切断メッセージ表示システム。
【請求項７】
前記切断情報は、２進情報で表されることを特徴とする請求項６記載の切断メッセージ表示システム。
【請求項８】
前記通信回線接続装置は、接続先固定機能付モデムであり、前記生成手段は、前記接続先固定機能付モデムに外付けで設けられたことを特徴とする請求項６又は７記載の切断メッセージ表示システム。
【請求項９】
前記通信回線はアナログ回線であり、前記生成手段は、前記アナログ回線間に接続され、前記アナログ回線上の選択信号を検出して電話番号を生成する検出回路と、契約済みのアクセスポイントの電話番号を登録する記憶部と、前記検出回路で生成された電話番号と前記記憶部の電話番号とを比較する比較手段と、該比較手段での比較結果に基づいて切断情報を出力する出力回路とからなることを特徴とする請求項６、７又は８記載の切断メッセージ表示システム。
【請求項１０】
前記通信回線接続装置は、接続先固定機能付モデムであり、前記転送手段は、前記接続先固定機能付モデムのコントローラ及びＰＣインターフェイスであることを特徴とする請求項６、７、８又は９記載の切断メッセージ表示システム。
【請求項１１】
コンピュータに請求項１乃至請求項５記載の切断情報通知装置の機能を実現させるための切断情報生成プログラム。
【請求項１２】
コンピュータに請求項６乃至請求項１０記載の切断メッセージ表示システムの機能を実現させるための切断情報生成プログラム。
【発明の詳細な説明】
【０００１】
【発明の属する技術分野】
この発明は、切断情報通知装置及び切断メッセージ表示システム並びにその切断情報生成プログラムに関し、詳しくは通信回線の切断を情報端末装置に通知を行う切断情報通知装置及び切断メッセージを表示する切断メッセージ表示システム並びにその切断情報生成プログラムに関する。
【０００２】
【従来の技術】
従来、パーソナルコンピュータ等をインターネットへ接続する形式の１つとして、ダイアルアップ接続がある。
このダイアルアップ接続の概要は、次の通りである。パーソナルコンピュータ等からインターネットへの接続要求が発生したとき、パーソナルコンピュータ等に登録済みの接続先識別情報（電話番号）が読み出され、パーソナルコンピュータ等に内蔵又は外付けのモデムに送られ、そこから選択信号が発信される。この選択信号は、インターネットへの接続を行うプロバイダのアクセスポイントのための電話番号に相当する信号である。
【０００３】
そして、選択信号がモデムからアナログ回線（電話回線）を経て公衆網（交換網）へ送信され、公衆網は、当該アナログ回線をプロバイダのアクセスポイントに接続させる回線を形成する。
【０００４】
このようなパーソナルコンピュータ等のインターネットへの接続に先立って、当該パーソナルコンピュータ等のユーザとプロバイダとの契約時にプロバイダのアクセスポイントの電話番号が、パーソナルコンピュータ等の記憶手段に回線接続要求ボタンのクリックで読み出し可能に登録される。
このようなアクセスポイントの登録は、また、上記契約後の契約改更や契約以外のパーソナルコンピュータ等における意図的な操作乃至ネットワークからダウンロードされるソフトウェアの仕組みによって案内されて行われる操作によってパーソナルコンピュータ等のメモリに書き替え可能にされている。
【０００５】
このように、ダイアルアップ接続においては、アクセスポイントの電話番号は、契約時の電話番号を他の電話番号に書き替えられる可能性を秘めているために、ユーザは意図的ではないが、インターネットでホームページの閲覧を続けて行くときに意図していないホームページへの閲覧が誘導され、ユーザのパーソナルコンピュータ等がユーザの意図しないアクセスポイント（契約以外のアクセスポイント）へ接続されるといういわゆるバナークリックの問題が、ダイアルアップ接続には潜在的に存在する。
【０００６】
したがって、このバナークリックによって契約以外のアクセスポイントへの接続が許容されると、場合によっては国際電話やダイヤルＱ２等の有料回線（高価な回線）への接続が無意識のうちに形成されてしまうという事態が発生する余地が、ダイアルアップ接続には存在する。
同様の問題が、ユーザによる誤った選択信号の再設定によって引き起こされて来る。
【０００７】
また、第三者によってアクセスポイントの電話番号を意図的に書き替えることも可能である。この場合にも、契約以外のアクセスポイントの電話番号がパーソナルコンピュータ等から読み出され、モデムから対応する電話番号が発信されることとなり、上述したバナークリック等のときと同様の問題が生ずる。
【０００８】
このような問題に対処するため、上述の不正な接続を回避するためのソフトウェアをパーソナルコンピュータ等にインストールして上記問題発生の防止を図る技法も開発されている。
しかし、この技法にも、次のような問題点がある。すなわち、第１の問題点は、専用のソフトウェアが無料のものもあるが、多くは有料であるということである。第２の問題点は、専用のソフトウェアをインストールする必要がある上、そのインストールは初心者には非常に煩わしいということである。第３の問題点は、専用のソフトウェアの操作を誤ると、効果が発揮できないということである。第４の問題点は、専用のソフトウェアの機能を回避するソフトウェアが作られるとその専用のソフトウェアは有名無実となるということである。
【０００９】
このようなことから、ハードウェアで上記問題の発生を防止する手段が開発されている。その例が、特許文献１に記載されている。
この特許文献１に記載される技術は、モデム乃至ターミナルアダプタから電話回線に発信された選択信号（電話番号）をパーソナルコンピュータとは別の装置において検出して該電話番号と予め登録してある電話番号とを比較する。
比較結果が不一致を示すときには、回線を切断する。比較結果が一致を示すときには、回線の切断は行わない。
【００１０】
【特許文献１】
特開２００２−１７６５１５号公報
【００１１】
【発明が解決しようとする課題】
しかしながら、特許文献１に記載される技術では、パーソナルコンピュータとは別の装置で検出した電話番号と予め登録してある電話番号との不一致で回線を切断することはできるが、その切断乃至は切断の警告をパーソナルコンピュータに知らせることはできない。
【００１２】
この発明は、上述の事情に鑑みてなされたもので、ダイアルアップ接続に際して契約済みの通信回線を介して契約外のアクセスポイントへの接続要求が発せられるとき当該通信回線の切断を行なって切断情報を情報端末装置に通知する切断情報通知装置及び該切断情報に基づいて切断メッセージを表示する切断メッセージ表示システム並びにその切断情報生成プログラムを提供することを目的としている。
【００１３】
【課題を解決するための手段】
上記課題を解決するために、請求項１記載の発明は、通信回線を切断したとき切断情報を情報端末装置に通知する切断情報通知装置に係り、情報端末装置を通信回線を介してインターネットのアクセスポイントへダイアルアップ接続するに際して発信された電話番号と契約済みのアクセスポイントの電話番号とを比較して両者が不一致であるとき上記通信回線を切断する通信回線接続装置に、上記通信回線の切断に基づいて切断情報を生成する生成手段と、該生成手段で生成された切断情報を上記情報端末装置へ通知する転送手段とを備えたことを特徴としている。
【００１４】
請求項２記載の発明は、請求項１記載の切断情報通知装置に係り、上記切断情報は、２進情報で表されることを特徴としている。
【００１５】
請求項３記載の発明は、請求項１又は２記載の切断情報通知装置に係り、上記通信回線接続装置は、接続先固定機能付モデムであり、上記生成手段は、上記接続先固定機能付モデムに外付けで設けられたことを特徴としている。
【００１６】
請求項４記載の発明は、請求項１、２又は３記載の切断情報通知装置に係り、上記通信回線はアナログ回線であり、上記生成手段は、上記アナログ回線間に接続され、上記アナログ回線上の選択信号を検出して電話番号を生成する検出回路と、契約済みのアクセスポイントの電話番号を登録する記憶部と、上記検出回路で生成された電話番号と上記記憶部の電話番号とを比較する比較手段と、該比較手段での比較結果に基づいて切断情報を出力する出力回路とからなることを特徴としている。
【００１７】
請求項５記載の発明は、請求項１、２、３又は４記載の切断情報通知装置に係り、上記通信回線接続装置は、接続先固定機能付モデムであり、上記転送手段は、上記接続先固定機能付モデムのコントローラ及びＰＣインターフェイスであることを特徴としている。
【００１８】
請求項６記載の発明は、通信回線接続装置において通信回線が切断されたときの切断メッセージを情報端末装置に表示する切断メッセージ表示システムに係り、上記通信回線が切断されたとき切断情報を生成する生成手段と、該生成手段で生成された上記切断情報を上記情報端末装置へ通知する転送手段と、該転送手段によって通知された切断情報に基づいて上記情報端末装置の表示部に切断メッセージを表示させる表示制御手段とを備えたことを特徴としている。
【００１９】
請求項７記載の発明は、請求項６記載の切断メッセージ表示システムに係り、上記切断情報は、２進情報で表されることを特徴としている。
【００２０】
請求項８記載の発明は、請求項６又は７記載の切断メッセージ表示システムに係り、上記通信回線接続装置は、接続先固定機能付モデムであり、上記生成手段は、上記接続先固定機能付モデムに外付けで設けられたことを特徴としている。
【００２１】
請求項９記載の発明は、請求項６、７又は８記載の切断メッセージ表示システムに係り、上記通信回線はアナログ回線であり、上記生成手段は、上記アナログ回線間に接続され、上記アナログ回線上の選択信号を検出して電話番号を生成する検出回路と、契約済みのアクセスポイントの電話番号を登録する記憶部と、上記検出回路で生成された電話番号と上記記憶部の電話番号とを比較する比較手段と、該比較手段での比較結果に基づいて切断情報を出力する出力回路とからなることを特徴としている。
【００２２】
請求項１０記載の発明は、請求項６、７、８又は９記載の切断メッセージ表示システムに係り、上記通信回線接続装置は、接続先固定機能付モデムであり、上記転送手段は、上記接続先固定機能付モデムのコントローラ及びＰＣインターフェイスであることを特徴としている。
【００２３】
請求項１１記載の発明は、切断情報生成プログラムに係り、コンピュータに請求項１乃至請求項５記載の切断情報通知装置の機能を実現させることを特徴としている。
【００２４】
請求項１２記載の発明は、切断情報生成プログラムに係り、コンピュータに請求項６乃至請求項１０記載の切断メッセージ表示システムの機能を実現させることを特徴としている。
【００２５】
【発明の実施の形態】
以下、図面を参照して、この発明の実施の形態について説明する。説明は、実施例を用いて具体的に説明する。
◇第１実施例
図１は、この発明の第１実施例である切断情報通知装置の構成を示す図、図２は、同切断情報通知装置の生成部の構成を示す図、図３は、モデムチップの構成を示す図である。
この実施例の切断情報通知装置（切断情報通知機能付モデム）１０は、アナログ回線を介してインターネットのアクセスポイントに接続しようとしたときの接続要求が不正な接続要求であるとき当該アナログ回線の切断情報をパーソナルコンピュータ（ＰＣ）に通知する装置に係り、切断情報通知装置１０は、図１に示すように、通常のモデムに装備されるＮＣＵ（Ｎｅｔｗｏｒｋ  Ｃｏｍｍｕｎｉｃａｔｉｏｎ  Ｕｎｉｔ）１２と加入電話回線のジャック１４、１５との間に接続され回線切断情報を生成する生成部１６と、生成部１６から出力された切断情報を受けて該切断情報をＰＣに送るモデムチップ（切断情報通知部）１８とから構成される。
【００２６】
切断情報生成部１６は、図１に示すように、記憶部２０と、制御部２２とから構成される。制御部２２は、モデムチップ１８及び強制切断リレー２４に接続されている。
【００２７】
記憶部２０は、パーソナルコンピュータ５０のユーザ（所有者）とインターネットにアクセスポイントを有するプロバイダとの契約で予め割り当てられているアクセスポイント識別情報（電話番号）を登録して置くものである。
制御部２２は、ＮＣＵ１２から信号線２６１、２６２を経て送出されて来る選択信号（電話番号）を検出して記憶部２０のアクセスポイント識別情報（電話番号）と比較し、切断情報を発生するものである。切断情報は、信号線２８を経て強制切断リレー２４及びモデムチップ１８に供給される。
強制切断リレー２４は、一方の信号線２６１に介設され、制御部２２から送られて来る切断情報に応答して開成するものである。
【００２８】
制御部２２は、図２に示すように、検出回路３０、比較回路３２及び出力回路３４から成る。検出回路３０は、信号線２６１、２６２上の選択信号（電話番号）を検出して電話番号を出力するものである。比較回路３２は、記憶部２０の電話番号と検出回路３０で検出された電話番号とを比較するものである。出力回路３４は、比較回路３２で比較された比較結果に基づいて２進の切断情報を出力するものである。
出力回路３４の出力は、信号線２８に接続されている。信号線２８は、強制切断リレー２４及び制御回路３４に接続されている。
強制切断リレー２４は、高レベルの切断情報に応答して開成する形式のものである。
【００２９】
また、モデムチップ１８は、図３に示すように、ＰＣインターフェイス４２、コントローラ４４及びＤＳＰ（Ｄｉｇｉｔａｌ  Ｓｉｇｎａｌ  Ｐｒｏｃｅｓｓｏｒ）４６を有して構成される。ＤＳＰ４６はＮＣＵ１２に接続されている。モデムチップ１８を構成する各回路自体は、公知のものであるが、そのコントローラ４４に制御部２２から出力される切断情報を信号線２８を介して送り込むようにした点に従来のモデムチップとの相違がある。
【００３０】
モデムチップ１８のコントローラ４４は、ＣＰＵ及びプログラムを記憶したＲＯＭ（図示せず）を有して構成されてもよいし、パーソナルコンピュータ５０のプログラム制御に応答するドライバで構成されてもよいが、上記相違は、制御部２２から信号線２８を経て転送されて来る切断情報を上記構成内のメモリに一旦取り込んだ後、パーソナルコンピュータ５０からのアクセスに応答して切断情報をパーソナルコンピュータ５０のメモリから読み出し、ＰＣインターフェイス４２、そしてパラレルバス又はシリアルバス５２を介してパーソナルコンピュータ５０に送出することにある。
【００３１】
次に、図１乃至図３を参照して、この実施例の動作について説明する。
パーソナルコンピュータ５０において、インターネットのアクセスポイントへのアクセスをしようとするとき、回線接続要求ボタンをクリックして上記アクセスポイントの電話番号をパーソナルコンピュータ５０のメモリから読み出して回線切断情報通知機能付モデム（以下、モデムという）１０へ送出する。モデム１０のＮＣＵ１２から選択信号が信号線２６１、２６２上に経て送出される。
信号線２６１、２６２上の選択信号は、制御部２２の検出回路３０でデジタル形式の電話番号として検出抽出される。その電話番号は、比較回路３４において、記憶部３０の電話番号と比較されて一致又は不一致の比較結果が比較回路３４から出力される。
【００３２】
その比較結果は、出力回路３４へ供給される。出力回路３４は、比較結果に基づいて２進の切断情報を出力する。比較結果が一致を示しているならば、２進で０の切断情報を出力し、比較結果が不一致を示しているならば、２進で１の切断情報を出力する。
切断情報は、信号線２８を介して強制切断リレー２４及びコントローラ４４に供給される。
【００３３】
強制切断リレー２４は、切断情報が２進で０にあるならば、閉成したままにあるが、切断信号が２進で１になると、開成する。
コントローラ４４は、２進の切断情報を受け取ってその切断情報をコントローラ４４内のメモリに一旦記憶した後、パーソナルコンピュータ５０のアクセスに応答して切断情報をメモリから読み出す。読み出された切断情報は、コントローラ４４において、ＰＣインターフェイス４２を介してパーソナルコンピュータ５０との間で送受し得るシールドコード又はリザルトコードに変換されてＰＣインターフェイス４２に送出される。
ＰＣインターフェイス４２は、シールドコード又はリザルトコードの形式で表される切断情報をパラレルバス又はシリアルバス５２を経てパーソナルコンピュータ５０へ転送する。
【００３４】
上記コード形式の切断情報を受け取ったパーソナルコンピュータ５０は、その切断情報が電話回線の切断を生じさせたデータであるときは、その切断情報に基づいて、電話回線が切断された旨又は今行ったインターネットへのアクセスにつき接続できない旨の警告メッセージを表示部の表示画面上に表示する。
なお、その表示の仕方は、周知の表示方法のいずれに従ってもよい。
【００３５】
以上述べたように、この実施例の構成によれば、モデムから送信される選択信号を検出し、検出された選択信号をデジタル化した電話番号と予め登録してある契約済みの電話番号とを比較し、両者が不一致であるならば、切断情報を発生して電話回線の切断をする一方、切断情報をモデムを介してパーソナルコンピュータへ転送してその旨又は警告メッセージをパーソナルコンピュータの表示部に表示し得るように構成したから、現在パーソナルコンピュータを使用中のユーザに対して当該パーソナルコンピュータのインターネットへの接続が契約上できなかったこと乃至は契約上許容され得ないインターネットへのアクセスが行われたことを了知せしめることができる。
【００３６】
◇第２実施例
図４は、この発明の第２実施例である切断情報通知装置の生成部の構成を示す図、図５は、同切断情報通知装置の生成部内の処理部の処理手順を示すフローチャートを示す図である。
この実施例の構成が、第１実施例のそれと大きく異なるところは、生成部をソフトウェアで構成した点である。
【００３７】
すなわち、生成部１６Ａは、記憶部２０と、制御部２２Ａとから成る。制御部２２Ａは、図４に示すように、検出回路３０、処理部３２Ａ及び出力回路３４から成る。
処理部３２Ａは、ＣＰＵ（図示せず）及び図５に示すフローチャートの処理手順を実行するプログラムを記憶したＲＯＭから成り、そのプログラムをＣＰＵによってＣＰＵのメモリに読み出し、読み出したプログラムをＣＰＵで実行することによって、図５に示すフローチャートの処理手順が実行されるようにして構成されている。
この構成を除くこの実施例の構成は、第１実施例の構成と同一なので、それらの各部には同一の参照符号を付してその逐一の説明は省略する。
【００３８】
次に、図４及び図５を参照して、この実施例の動作について説明する。
この実施例においても、モデム１０のＮＣＵ１２から選択信号が信号線２６１、２６２上に送出されること及び選択信号が制御部２２Ａの検出回路３０でデジタル形式の電話番号として検出抽出されることは、第１実施例のそれらと同じである。検出回路３０で検出された電話番号は、処理部３２Ａへ供給される。
【００３９】
処理部３２Ａにおいて、その電話番号が入力されて来ないならば（図５のステップＳ１のＮＯ）、待機状態に留まる。
電話番号が入力されて来るならば（図５のステップＳ１のＹＥＳ）、記憶部２０から電話番号が読み出され（図５のステップＳ２）、その電話番号と検出回路３０で検出された電話番号とが比較される（図５のステップＳ３）。
【００４０】
比較結果が一致を示しているならば（図５のステップＳ３のＹＥＳ）、処理は終了となり、出力回路３４に２進で０の切断情報を出力するように通知して処理は終了する（図５のステップＳ５）。比較結果が不一致を示しているならば（図５のステップＳ３のＮＯ）、出力回路３４に２進で１の切断情報を出力するように通知して（図５のステップＳ４）処理は終了する（図５のステップＳ５）。
【００４１】
切断情報は、信号線２８を介して強制切断リレー２４及びコントローラ４４に供給される。
強制切断リレー２４は、切断情報が２進で０にあるならば、閉成したままにあるが、切断信号が２進で１になると、開成することは、第１実施例と同様である。
【００４２】
コントローラ４４は、２進の切断情報を受け取ってその切断情報を一旦そのメモリに記憶し、パーソナルコンピュータ５０からのアクセスに応答してメモリから切断情報を読み出し、ＰＣインターフェイス４２を介してパーソナルコンピュータ５０との間で送受し得るシールドコード又はリザルトコードに変換してＰＣインターフェイス４２に送る。
ＰＣインターフェイス４２は、シールドコード又はリザルトコードの形式で表される切断情報をパラレルバス又はシリアルバス５２を経てパーソナルコンピュータ５０へ転送する。
【００４３】
上記コード形式の切断情報を受け取ったパーソナルコンピュータ５０は、その切断情報が電話回線の切断を生じさせたデータであるときは、その切断情報に基づいて、電話回線が切断された旨又は今行ったインターネットへのアクセスにつき接続できない旨の警告メッセージをパーソナルコンピュータ５０の表示部の表示画面上に表示する。
なお、その表示の仕方は、周知の表示方法のいずれに従ってもよい。
【００４４】
以上述べたように、この実施例の構成によれば、モデムから送信される選択信号を検出し、検出された選択信号をデジタル化した電話番号と予め登録してある契約済みの電話番号とを比較し、両者が不一致であるならば、切断情報を発生して電話回線の切断をする一方、切断情報をモデムを介してパーソナルコンピュータへ転送してその表示部に所要のメッセージを表示し得るように構成されているから、第１実施例と同等の効果を享受し得る。
【００４５】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、切断情報通知装置を接続先固定機能付モデムに内蔵形式の構成について説明したが、接続先固定機能付モデムに外付け形式の構成であってもよい。
また、上記実施例においては、アナログ回線についてのものであったが、デジタル回線についても同等に実施可能である。その場合の切断情報の生成手段及び転送手段は、ターミナルアダプタ等に設ければよい。
【００４６】
【発明の効果】
以上説明したように、この発明の構成によれば、モデムから発信される選択信号を検出し、検出された選択信号をデジタル化した電話番号と予め登録してある契約済みの電話番号とを比較し、両者が不一致であるならば、切断情報を発生して通信回線の切断をする一方、切断情報を転送手段を介して情報端末装置へ転送してその表示部に所要のメッセージを表示し得るように構成されているから、情報端末装置の表示部に表示される通信回線を切断した旨又は警告メッセージによって、現在情報端末装置を使用中のユーザに対して当該情報端末装置のインターネットへの接続が契約上できなかったこと乃至は契約上許容され得ないインターネットへのアクセスが行われたことを了知せしめることができる。
【図面の簡単な説明】
【図１】この発明の第１実施例である切断情報通知装置の構成を示す図である。
【図２】生成部の構成を示す図である。
【図３】同切断情報通知装置のモデムチップの構成を示す図である。
【図４】この発明の第２実施例である切断情報通知装置の生成部の構成を示す図である。
【図５】同切断情報通知装置の生成部内の処理部の処理手順を示すフローチャートを示す図である。
【符号の説明】
１０      切断情報通知装置
１２      ＮＣＵ
１６、１６Ａ      生成部（生成手段）
１８      モデムチップ（転送手段）
２０      記憶部
２２      制御部
２４      強制切断リレー
２６１、２６２      信号線
２８      信号線
３０      検出回路
３２      比較回路（比較手段）
３２Ａ      処理部（比較手段）
３４      出力回路
４２      ＰＣインターフェイス
４４      コントローラ
【図１】
2004364198.tif 000003
【図２】
2004364198.tif 000004
【図３】
2004364198.tif 000005
【図４】
2004364198.tif 000006
【図５】
2004364198.tif 000007